(57)【要約】【課題】携帯用の電動工具を収納する収納ケースにおいて、従来ケース本体の内部を区画するための仕切り板は、その両端部をケース本体側に固定して取り付ける構成であったので、大きな力が付加されると変形としてケース内の収納状態が雑然とし、収納物が損傷を受けるおそれがあった。本発明では、薄板形状の仕切り板であっても強固に取り付けることができるとともに、様々な形態に取り付けることができる仕切り板を備えた収納ケースを提供することを目的とする。【解決手段】仕切り板４０の長手方向両端部をケース本体１０の側板部１２〜１５に設けた側板係合部１２Ａ〜１５Ａに固定し、幅方向両側部をケース本体１０の底係合部１６および蓋２０の蓋係合部２２に係合させる構成とする。これにより仕切り板４０は、蓋２０を閉めた状態で全周を係合されるので、その取り付け剛性を高めることができる。【選択図】　　　　図１
2004009202.tif 000002
【特許請求の範囲】
【請求項１】
底板部と側板部を備えたケース本体と、該ケース本体を閉塞する蓋と、該ケース本体の内部を区画するための仕切り板を備え、前記ケース本体の側板部の内面に、前記仕切り板の長手方向の端部を係合するための側板係合部を複数箇所に設け、前記ケース本体の底板部に前記仕切り板の幅方向一方の側部を係合するための底係合部を設け、前記蓋の内面に前記仕切り板の幅方向他方の側部を係合するための蓋係合部を設け、前記仕切り板の長手方向両端部を前記任意の側板係合部を介して係合するとともに、該仕切り板の幅方向一方の側部を前記底係合部に沿って係合させ、かつ幅方向他方の側部を前記蓋を閉塞することにより前記蓋係合部に沿って係合させて当該仕切り板をその板厚方向移動不能に固定した状態で取り付け可能な構成とした物品の収納ケース。
【請求項２】
請求項１記載の収納ケースであって、仕切り板の端部を断面Ｔ字形に形成する一方、ケース本体の側板係合部として断面Ｔ字形の溝部を設け、該Ｔ字形溝部の当該ケース本体の口元側から前記仕切り板の端部を挿入して該仕切り板の長手方向端部をその板厚方向に移動不能かつケース本体の内方に離脱不能に固定するとともに、前記ケース本体の底係合部および蓋の蓋係合部としてそれぞれ断面Ｖ字形の溝部を設け、該底係合部および前記蓋係合部に沿って仕切り板の幅方向側部をそれぞれ挿入してその板厚方向へ移動不能に固定する構成とした物品の収納ケース。
【請求項３】
請求項１または２に記載した収納ケースであって、ケース本体は矩形をなす底板部と該底板部の周囲４辺に沿って４つの側板部を備え、該４つの側板部にそれぞれ複数の側板係合部を設けて、前記底板部および蓋に碁盤目状に係合部を配置した物品の収納ケース。
【請求項４】
請求項３記載の収納ケースであって、仕切り板に別の仕切り板の長手方向端部を係合するための補助係合部を設けて、該仕切り板とケース本体の側板部との間、あるいは２つの仕切り板の間に前記別の仕切り板を取り付け可能な構成とした物品の収納ケース。
【請求項５】
底板部と側板部を備えたケース本体と、該ケース本体の内部を区画するための仕切り板を備え、前記側板部の内面に、前記仕切り板の長手方向の端部を係合するための側板係合部を複数箇所に設け、前記仕切り板の長手方向の端部を前記側板係合部であって相互に対向しない２箇所の側板係合部に係合して、当該仕切り板を屈曲する経路に沿って取り付け可能な構成とした物品の収納ケース。
【請求項６】
請求項５記載の収納ケースであって、仕切り板の端部をケース本体の相互に隣接する側板部の側板係合部に係合して、当該仕切り板を前記隣接する側板部間に跨った屈曲する経路に沿って取り付け可能な構成とした物品の収納ケース。
【請求項７】
請求項５記載の収納ケースであって、仕切り板の端部を一つの側板部の側板係合部に係合して、当該仕切り板を前記一つの側板部に屈曲する経路に沿って取り付け可能な構成とした物品の収納ケース。
【請求項８】
底板部と側板部を備えたケース本体と、該ケース本体に収納した物品の移動を規制するための規制部材を備え、該規制部材は、複数の仕切り板部を有する枠体形状若しくは箱体形状を有し、前記仕切り板部を前記ケース本体の側板部に設けた側板係合部を介して該ケース本体の隣接する側板部に沿って固定して取り付け可能な構成した物品の収納ケース。
【請求項９】
底板部と側板部を備えたケース本体と、該ケース本体に収納した物品の移動を規制するためのブロック体形状の規制部材を備え、該規制部材は、前記ケース本体の側板部に設けた側板係合部を介して該ケース本体の側板部に沿って取り付け可能な構成とした物品の収納ケース。
【発明の詳細な説明】
【０００１】
【発明の属する技術分野】
この発明は、例えば電気ドリル等の携帯工具およびその付属品等を収納する場合に好適な物品の収納ケースに関する。
【０００２】
【従来の技術】
従来より、この種の収納ケースには、工具本体の他に、例えばバッテリー等の付属品をも一緒に収納できるようにケース本体の内部が区画されたものが提供されている。ケース本体内を収容する物品に合わせて区画することにより、当該収納ケースの携帯時等において、収容した工具本体等の移動を規制し、整然とした収容状態を保つことができる。
従来、ケース本体内を区画するための仕切り板には、ケース本体に固定で移動不能な固定式のものの他に、取り外し可能な可動式の仕切り板が提供されていた。この可動式の仕切り板によれば、ケース本体内の別の位置に取り付けることにより収容する工具本体等の大きさに合わせて区画状態を変更することができるので、より汎用性の高い収納ケースとすることができた。
【０００３】
【発明が解決しようとする課題】
しかしながら、上記従来の可動式の仕切り板は、例えば合成樹脂製のものが一般的であるためその板厚方向の剛性がさほど高くない（板厚方向にたわみやすい）。このため、例えば当該収納ケースを携帯時等に落下させた場合、従来の仕切り板では板厚方向にたわむ等して移動してしまい、その結果収容した工具本体等がケース内で移動して整然とした収納状態を保つことが困難であった。
本発明は、この問題に鑑みなされたもので、仕切り板自体の剛性はさほど高くなくても、収容物品の整然とした収容状態を確実に保つことができる物品の収納ケースを提供することを目的とする。
【０００４】
【課題を解決するための手段】
このため、本発明は前記各請求項に記載した構成の収納ケースとした。
請求項１記載の収納ケースによれば、蓋を閉じた状態では、仕切り板の両端部がケース本体に対して固定されるとともに、仕切り板の幅方向一方の側部がケース本体の底板部に固定され、かつ幅方向他方の側部が蓋をケース本体に対して閉塞することによりこの蓋に対して固定される。このように、仕切り板は、その長手方向両端部のみならず幅方向両側部もケース本体若しくは閉じた蓋に固定される。このため、仕切り板自体の剛性は従来と同じであっても、該仕切り板の長手方向両端部のみあるいは長手方向両端部と幅方向一方の側部のみをケース本体に対して固定する従来構成に比して、その取り付け状態の剛性を高める（板厚方向のたわみが小さい状態に取り付ける）ことができ、これにより収納物品の移動を規制してその収納状態を従来よりも確実に保つことができる。
請求項２記載の収納ケースによれば、ケース本体側の側板係合部と底係合部、蓋側の蓋係合部および仕切り板の長手方向両端部と幅方向両側部をいずれも簡単な構成（単純な形状）とすることができ、これにより当該仕切り板のケース本体および蓋に対する強固な取り付けを行うことができる。この構成は、当該ケース本体および蓋をそれぞれ合成樹脂の一体成形品とする場合に適している。
請求項３記載の収納ケースによれば、上記作用効果に加えて、２組の対向する側板部間を縦方向または横方向に任意に選択して（仕切り板の位置あるいは向きを変更して）仕切り板を取り付けることができるので、収納する物品の大きさ、形状等に合わせて仕切り板の向きを変更することができ、これにより当該収納ケースの使い勝手を向上させることができる。
【０００５】
請求項４記載の収納ケースによれば、収納ケースの内部をより細かく区画することができるのでより多様な区画が可能となり、この点で当該収納ケースの使い勝手をさらに向上させることができる。
請求項５記載の収納ケースによれば、単一の（一つの）仕切り板がＬ字形あるいは円弧形状に屈曲して取り付けられるので、対向する２つの側板係合部間に真っ直ぐに取り付けた場合に比してその板厚方向の取り付け剛性を高めることができ、これにより仕切り板の板厚方向の移動を小さくして整然とした収納状態を確実に維持することができる。
請求項５記載の構成において、屈曲する仕切り板の幅方向側部を、ケース本体の底板部あるいは蓋の底板部に係合させることによりその取り付け剛性を一層高めることができる。
請求項６記載の収納ケースによれば、仕切り板がＬ字形あるいは円弧形状に取り付けられるので、上記作用効果に加えて、ケース本体の角部を矩形あるいは扇形等に区画することができるので、この点で当該収納ケースの使い勝手を向上させることができる。
請求項７記載の収納ケースによれば、仕切り板がＵ字形、Ｖ字形あるいはコ字形に取り付けられるので、上記作用効果に加えて、さらに多様な区画を行うことができ、これにより当該収納ケースの使い勝手を一層向上させることができる。
請求項８記載の収納ケースによれば、複数の仕切り板部が屈曲して連結された枠体形状若しくは箱体形状をなす規制部材をケース本体の側板部に沿って取り付けることにより収納物品の移動を規制することができる。規制部材は枠体形状若しくは箱体形状を有し、各仕切り板部が屈曲して連結されているので、請求項５記載の構成による場合と同様その板厚方向の取り付け剛性が高められ、これにより収納物品の移動をより確実に規制することができる。
この規制部材においても、各仕切り板部の幅方向両側部をケース本体の底板部あるいは蓋の底板部に対して係合させることにより当該仕切り板部の板厚方向の移動をより一層確実に規制してその取り付け剛性を高めることができる。
請求項９記載の収納ケースによれば、前記仕切り板のような薄板形状ではなく様々な形状を有するブロック体形状の規制部材をケース本体の側板部間に沿って取り付ける（ケース本体の隣接する側板部間に跨って取り付けることを含む）ことにより、収納した物品の移動を規制してその収納位置を確実に保持することができる。
【０００６】
【発明の実施の形態】
次に、本発明の実施の形態を図１〜図１２に基づいて説明する。図１は、第１実施形態の収納ケース１を示している。この収納ケース１は、ケース本体１０とこれを閉塞するための蓋２０とケース本体１０の内部を区画するための仕切り板４０を備えている。図１は、ケース本体１０に対して蓋２０を開放した状態を示している。また、図１では、１つの仕切り板４０によりケース本体１０内が２つに区画された状態が示されている。
第１実施形態では、ケース本体１０、蓋２０および仕切り板４０がそれぞれ合成樹脂の一体成形により形成されている。
蓋２０は、その図示左端部がケース本体１０の図示右端部に対してヒンジ部３０を介して開閉可能に連結されている。蓋２０を閉じた状態が図２において二点鎖線で示されている。
ケース本体１０は、上方開放の箱体形状を有するもので、矩形の底板部１１とこの底板部１１の周囲４辺に沿って立ち上げ状に一体形成された側板部１２，１３，１４，１５を備えている。側板部１５に蓋２０が上記ヒンジ部３０を介して連結されている。
【０００７】
ケース本体１０の底板部の内面には、そのほぼ全面にわたって多数の底係合部１６〜１６が碁盤目状に形成されている。本実施形態では、各底係合部１６は、図３に示すように断面Ｖ字形の溝部として例示されている。以下の説明では、図１において縦方向の底係合部１６〜１６の符号に添字Ａを付し、横方向の底係合部１６〜１６の符号に添字Ｂを付して相互に区別する。
次に、各側板部１２〜１５の内面には、それぞれ多数の側板係合部１２Ａ〜１２Ａ，１３Ａ〜１３Ａ，１４Ａ〜１４Ａ，１５Ａ〜１５Ａが形成されている。各側板係合部１２Ａ〜１５Ａは、ケース本体１０の深さ方向に沿って相互にほぼ平行に設けられている。各側板係合部１２Ａ〜１５Ａは、同様に構成されているので、以下側板部１３について説明する。
側板部１３の側板係合部１３Ａが図５に拡大して示されている。この側板係合部１３Ａは、相互に対向して張り出し形成された係合縁１３Ａａ，１３Ａａを備えている。この両係合縁１３Ａａ，１３Ａａ間には、上記側板係合部１３Ａとほぼ同じ幅でケース本体１０の深さ方向に長いスリットが形成されている。この側板係合部１３Ａの、ケース本体１０の口元側の端部は開口されている。このように構成された各側板係合部１２Ａ〜１５Ａは、上記底係合部１６Ａ〜１６Ａ，１６Ｂ〜１６Ｂの各端部に対して１：１に対応して配置されている。
一方、図１および図２に示すように蓋２０の底板部２１の内面にも、多数の蓋係合部２２〜２２（縦方向の蓋係合部２２Ａ〜２２Ａと横方向の蓋係合部２２Ｂ〜２２Ｂ）が碁盤目状に設けられている。この蓋２０側の蓋係合部２２Ａ〜２２Ａ，２２Ｂ〜２２Ｂは、上記ケース本体１０側の底係合部１６Ａ〜１６Ａ，１６Ｂ〜１６Ｂに対して対称に配置されている。また、図４に示すように本実施形態では、各蓋係合部２２Ａ，２２Ｂも断面Ｖ字形の溝部として例示されている。
【０００８】
次に、図６〜図９には上記仕切り板４０が単独で示されている。図６および図８に示すようにこの仕切り板４０は、薄肉の帯板形状を有するもので、その長手方向（図６において左右方向）の両端部（図６において左右端部）は、一定の幅で肉厚方向へ張り出す張り出し縁４０ａ，４０ａが形成されている。この張り出し縁４０ａ，４０ａは、当該仕切り板４０のほぼ全幅にわたって形成されている。この張り出し縁４０ａ，４０ａにより当該仕切り板４０の両端部は、断面Ｔ字形に形成されている。
また、この仕切り板４０の幅方向両側部（図６において上下両側部）には、断面Ｖ字形の係合突起４０ｂ，４０ｃがその長手方向ほぼ全長にわたって形成されている。
【０００９】
以上のように構成された第１実施形態の収納ケース１によれば、仕切り板４０の長手方向一方の端部をケース本体１０の任意の側板部１２（または１３，１４，１５）の任意の側板係合部１２Ａ（または１３Ａ，１４Ａ，１５Ａ）に挿入し、これとともに長手方向他方の端部を任意の側板部１２（または１３，１４，１５）の任意の側板係合部１２Ａ（または１３Ａ，１４Ａ，１５Ａ）に挿入することにより、当該仕切り板４０をケース本体１０内の任意の位置に取り付けてケース本体１０内を区画することができる。
仕切り板４０の長手方向の端部は、各側板係合部１２Ａ（または１３Ａ，１４Ａ，１５Ａ）の口元側から挿入することができる。仕切り板４０の端部が側板係合部１２Ａ（または１３Ａ，１４Ａ，１５Ａ）に挿入されると、当該側板係合部１２Ａ（または１３Ａ，１４Ａ，１５Ａ）の係合縁１２Ａａ（または１３Ａａ，１４Ａａ，１５Ａａ）に対して張り出し縁４０ａ，４０ａが係合されることにより、当該端部が側板係合部１２Ａ（または１３Ａ，１４Ａ，１５Ａ）から抜け出ることが防止されるとともに当該仕切り板４０の板厚方向の移動が規制され、これにより仕切り板４０の両端部の取り付け位置が固定される。
【００１０】
また、以上のようにして仕切り板４０の両端部を任意の側板係合部１２Ａ（または１３Ａ，１４Ａ，１５Ａ）にそれぞれ挿入して係合させると、この仕切り板４０の幅方向一方の側部の係合突起４０ｂが、底板部１１に設けた底係合部１６Ａ（または１６Ｂ）に沿って嵌り込み、これにより仕切り板４０の板厚方向の移動が規制される。こうして、ひとつの仕切り板４０が、その両端部と幅方向の一方の側部の移動が規制された状態でケース本体１０内に取り付けられることにより、ケース本体１０内が２つの室に区画され、この状態で一方の室に例えば携帯工具本体を収納し、他方の室にその付属品を収納することができる。
次に、ケース本体１０内に仕切り板４０を取り付けた後、蓋２０を閉じると、仕切り板４０の幅方向他方の側部に設けた係合突起４０ｃが蓋２０の底板部２１に設けた蓋係合部２２Ａ（または２２Ｂ）に嵌り込む。このため、蓋２０を閉じた状態では、仕切り板４０の長手方向両端部および幅方向両側部、すなわち仕切り板４０の全周がケース本体１０若しくは蓋２０に対して移動不能に係合される。
このように、本例の収納ケース１によれば、仕切り板４０の長手方向両端部のみならず、その幅方向両側部もケース本体１０若しくは蓋２０に係合されてそのほぼ全周（４辺）が係合されるので、蓋２０を閉じた状態当該収納ケース１を携帯（搬送）する段階で、仕切り板４０がその長手方向両端部のみあるいは長手方向両端部と幅方向の一方の側部のみをケース本体に対して固定した場合に比して格段に高い取り付け剛性（板厚方向にたわみにくい状態）で取り付けられる。このため、当該収納ケース１に携帯工具本体等の物品を収納した状態において、例えば当該収納ケース１に大きな衝撃が加わった場合であっても、仕切り板４０により収納した物品の移動が規制されて当該収納ケース１内の整然とした収納状態を確実に保つことができ、これにより収納物品の損傷等を未然に防ぐことができる。
【００１１】
次に、図１０には、複数の仕切り板４１，４２，４３を様々な態様に取り付けた第２実施形態の収納ケースのケース本体１０が示されている。以下説明する取り付け形態の仕切り板４１，４２，４３を備えた構成が請求項５〜７に記載した発明の一実施形態に相当する。第１実施形態と同様の構成および部材等については同位の符号を用いてその説明を省略する。
図１に示した第１実施形態では、１つの仕切り板４０が相互に対向する側板部１３と側板部１５との間に掛け渡し状に取り付け構成について説明したが、図１０では仕切り板４１〜４３がこれとは異なる態様に取り付けられている。仕切り板４１は、その両端部を同じ側板部１３の２箇所の側板係合部１３Ａ，１３Ａに係合させた状態で概ねＵ字形に取り付けられている。また、図示するようにこの仕切り板４１は、その長手方向中途の複数箇所でＬ字形に屈曲させることにより、２本の縦方向の底係合部１６Ａ，１６Ａと３本の横方向の底係合部１６Ｂ〜１６Ｂに沿って幅方向一方の係合突起４０ｂが嵌め込まれている。
また、仕切り板４２は、その長手方向一方の端部を側板部１３の側板係合部１３Ａに係合させ、他方の端部をこれに隣接する側板部１４の側板係合部１４Ａに係合させた状態で概ねＬ字形に取り付けられている。このため、仕切り板４２は、その長手方向中途の１箇所でＬ字形に屈曲されて縦方向の底係合部１６Ａと横方向の底係合部１６Ｂと間に跨った状態で幅方向一方の係合突起４０ｂが底係合部１６Ａ，１６Ｂに嵌め込まれている。
【００１２】
さらに、この仕切り板４２の長手方向中途位置には、別の仕切り板４３の端部を係合するための側板係合部４２ａが表裏両面に背中合わせ状態で設けられている。この側板係合部４２ａ，４２ａは、ケース本体１０の側板部１２〜１５に設けた側板係合部１２Ａ〜１５Ａと同様２つの係合縁を相互に対向して張り出すことにより形成される断面Ｔ字形の溝部として例示されている。この仕切り板４２の側板係合部４２ａに長手方向一方の端部を係合し、他方の端部をケース本体１０の側板部１４の側板係合部１４Ａに係合させることにより、仕切り板４３が仕切り板４２と側板部１４との間に跨った状態で取り付けられている。この仕切り板４３は、１本の縦方向の底係合部１６Ａに沿って係合突起４０ｂを嵌め込んだ状態に取り付けられている。
また、図１０には当該ケース本体１０に、携帯工具２（電気ドリル）が収容された状態が示されている。この携帯工具２は、その本体部２ａおよびハンドル部２ｂの移動が上記仕切り板４１により規制され、その先端部（先端刃具を装着するチャック部２ｃ）付近の移動が仕切り板４２により規制された状態で収納されている。また、仕切り板４１と仕切り板４２との間に形成されるスペースに当該電気ドリルのサブハンドル部２ｄが収容されて、その移動が規制されている。
このように収納する物品の形状あるいは大きさに合わせて複数の仕切り板４１，４２を適切な形状で取り付けることができ、これにより収納物品の移動をより確実に規制してケース本体１０内の整然とした収納状態を保持することができる。
また、仕切り板４２と、側板部１３，１４により区画される室は、仕切り板４３によりさらに２つの室に区画されている。この２つの室には、種類の異なる付属品を移動しないように収納しておくことができる。
【００１３】
以上説明したように、第２実施形態の仕切り板４１〜４３は、対向する側板部１２，１４間（または１３，１５間）のみならず、相互に隣接する側板部１２，１３間（または１３，１４間、１４，１５間、１２，１５間）に跨った状態、あるいは同じ側板部１２（または１３，１４，１５）にその両端部を固定した状態、さらには仕切り板４０（または４１，４２，４３）と側板部１２（または１３，１４，１５）間に跨った状態に取り付けることができ、これによりさまざまな態様に仕切り板４０〜４３を取り付けることができる。このことから、以上説明した本例の収納ケース１によれば、収納する物品の形状あるいは大きさに合わせてケース本体１０内を最適な状態に区画することができ、これにより当該収納ケース１の携帯時等において、収納物品のケース本体１０内における移動を一層確実に規制して、収納物品の整然とした収納状態を保つことができる。
さらに、仕切り板４０〜４３は、ケース本体１０の口元側へ抜き出すことにより簡単に外すことができるので、収納する物品の形状あるいは大きさが変更になった場合にも簡単に区画状態を変更することができ、これにより汎用性の高い収納ケース１とすることができる。
【００１４】
次に、図１１および図１２には、以上説明した第１、第２実施形態の仕切り板４０〜４３とは異なる形態の規制部材５０，６０が示されている。この規制部材５０，６０は、前記第１、第２実施形態の仕切り板４０〜４３に代えて、若しくは併せて用いることができ、従ってケース本体１０にそのまま利用することができる。以下、規制部材５０，６０以外については同位の符号を用いてその説明を省略する。
図１１に示した第３実施形態に係る規制部材５０は、請求項８に記載した発明の実施形態に相当し、図１２に示した第４実施形態に係る規制部材６０は、請求項９に記載した発明の実施形態に相当する。
先ず、規制部材５０は、４つの側板部５１〜５４と矩形の底板部５５を備えた箱体形状を有している。相互に隣接する側板部５１，５２の外側面には、それぞれ断面Ｔ字形の係合凸部５１ａ，５１ａ、５２ａ，５２ａが相互に平行に上下方向に形成されている。各係合凸部５１ａ，５１ａ、５２ａ，５２ａは、前記各実施形態における各仕切り板４０〜４３の端部と同じ形状を有している。このため、各係合凸部５１ａ，５１ａ、５２ａ，５２ａは、前記ケース本体１０の側板係合部１２Ａ〜１５Ａに対して口元側から挿入可能であり、挿入した状態ではケース本体１０の内方へ移動不能に係合される。
【００１５】
このように設けた係合凸部５１ａ，５１ａをケース本体１０の側板部１３の側板係合部１３Ａ，１３Ａにそれぞれ挿入し、かつ係合凸部５２ａ，５２ａをケース本体１０の側板部１２の側板係合部１２Ａ，１２Ａにそれぞれ挿入して、側板部５１をケース本体１０の側板部１３に沿って、側板部５２をケース本体１０の側板部１２に沿って固定することにより、当該規制部材５０をケース本体１０内に取り付けることができる。
規制部材５０をケース本体１０の相互に隣接する側板部１２，１３間に跨って取り付けることにより、当該規制部材５０の側板部５３，５４がケース本体１０内の仕切り板として機能し、これにより収納した物品のケース本体１０内における移動が規制され、ひいてはケース本体１０内の整然とした収納状態を維持することができる。この場合においても、側板部５３，５４がＬ字形に屈曲する経路に沿って配置されるので、相互に対向する２側板部間に平板形状の仕切り板を単に掛け渡し状に取り付けた従来構成に比して板厚方向にたわみにくい状態で取り付けることができる。
【００１６】
次に、図１２に示した規制部材６０は、平坦な側板部６１とその両端から延びる円弧形状の側板部６２を備えたブロック体形状を備えている。側板部６１には、断面Ｔ字形の係合凸部６１ａ，６１ａが相互に平行に上下方向に沿って形成されている。この両係合凸部６１ａ，６１ａもケース本体１０の側板部１２（または１３，１４，１５）の側板係合部１２Ａ（または１３Ａ，１４Ａ，１５Ａ）に口元側から挿入可能に設けられている。この両係合凸部６１ａ，６１ａを側板係合部１２Ａ，１２Ａに挿入することにより当該規制部材６０をケース本体１０の側板部１２に沿って取り付けることができ、これにより収納物品の移動を確実に規制してケース本体１０内の整然とした収納状態を維持することができる。
また、この規制部材６０はブロック体形状を有しているので、平板形状の仕切り板を単にその両端部を対向する側板部間に掛け渡し状に取り付けた構成に比して、その取り付け剛性を高くすることができる。このため、当該収納ケース１の携帯時において収納物品が衝突等しても移動してしまうことがなく、これにより収納物品の移動を確実に規制することができる。
【００１７】
以上説明した各実施形態にはさらに変更を加えて実施することができる。例えば、ケース本体１０、蓋２０および仕切り板４０〜４３あるいは規制部材５０，６０をそれぞれ合成樹脂の一体成型により形成する構成を例示したが、鋼板製あるいは木製であってもよい。また、これらが同じ材質で形成される必要もない。
また、収納する物品として携帯用の電気ドリルを例示したが、電動ねじ締め機あるいはいわゆるレシプロソー等の携帯用切断機等を収納するための収納ケースにも同様に適用することができ、さらには携帯工具に限らず、例えば砥石や切断刃等の付属品のみを収納する収納ケース、あるいはその他種々物品の収納ケースにも同様に適用することができる。
さらに、第２実施形態において、仕切り板４１〜４３の幅方向両側部をケース本体１０側の底係合部１６および蓋２０側の蓋係合部２２に係合させる構成を例示したが、これらを省略することもできる。すなわち、仕切り板４１〜４３の長手方向両端部のみを側板部１２〜１５に係合させ、幅方向側部についてはケース本体１０または蓋２０に係合させない構成としてもよい。この構成によっても、仕切り板４１〜４３がその長手方向中途位置で屈曲しているため、対向する２側板部間に単に真っ直ぐに掛け渡しただけの構成に比して板厚方向の剛性（たわみにくさ）を高めることができる。従って、この場合には、仕切り板４１〜４３に設けた突起（仕切り板４０の突起４０ｂ、４０ｃに相当する突起）を省略し、またケース本体１０側の底係合部１６〜１６および蓋２０側の蓋係合部２２〜２２を省略することができる。
逆に、第３および第４実施形態において、規制部材５０，６０の上面および下面に係合突起（仕切り板４０の係合突起４０ｂ，４０ｃに相当する突起）を設けて、この係合突起をケース本体１０の底板部１１、蓋２０の底板部２１に設けた底係合部１６、蓋係合部２２に係合させる構成としてもよい。
【図面の簡単な説明】
【図１】本発明の実施形態に係る収納ケースの全体を示す平面図である。本図は、蓋を開いてケース本体および蓋の内部が示している。
【図２】蓋を開いた状態の収納ケースの縦断面図である。
【図３】図２のＦ３部であって、ケース本体の底板部に設けた縦方向の底係合部の断面図である。
【図４】図２のＦ４部であって、蓋の底板部に設けた縦方向の蓋係合部の断面図である。
【図５】図１のＦ５部であって、側板係合部の拡大平面図である。
【図６】仕切り板の側面図である。
【図７】図６のＦ７矢視図であって、仕切り板の端面図である。
【図８】図６のＦ８−Ｆ８線断面矢視図であって、仕切り板の横断面図である。
【図９】図６のＦ９−Ｆ９線断面矢視図であって、仕切り板の縦断面図である。
【図１０】複数の仕切り板を様々な態様に取り付けた状態のケース本体の平面図である。本図では蓋が省略されている。
【図１１】請求項８記載の発明の実施形態であって第３実施形態に係る規制部材の斜視図である。
【図１２】請求項９記載の発明の実施形態であって第４実施形態に係る規制部材の斜視図である。
【符号の説明】
１…収納ケース
２…携帯工具
２ａ…工具本体、２ｂ…ハンドル部、２ｃ…チャック部、２ｄ…サブハンドル部１０…ケース本体
１１…底板部
１２〜１５…側板部
１２Ａ〜１５Ａ…側板係合部
１６…底係合部（ケース本体側）
１６Ａ…縦方向の底係合部
１６Ｂ…横方向の底係合部
２０…蓋
２１…底板部
２２…蓋係合部（蓋側）
２２Ａ…縦方向の蓋係合部
２２Ｂ…横方向の蓋係合部
３０…ヒンジ部
４０…仕切り板（第１実施形態）
４０ａ…張り出し縁、４０ｂ，４０ｃ…係合突起
４１〜４３…仕切り板（第２実施形態）、４２ａ…側板係合部
５０…規制部材（第３実施形態）
６０…規制部材（第４実施形態）
【図１】
2004009202.tif 000003
【図２】
2004009202.tif 000004
【図３】
2004009202.tif 000005
【図４】
2004009202.tif 000006
【図５】
2004009202.tif 000007
【図６】
2004009202.tif 000008
【図７】
2004009202.tif 000009
【図８】
2004009202.tif 000010
【図９】
2004009202.tif 000011
【図１０】
2004009202.tif 000012
【図１１】
2004009202.tif 000013
【図１２】
2004009202.tif 000014